(57)【要約】【課題】  ポストの奥行き寸法を従来よりも薄くすることができ、ポストのユニットルーム外側へのはみ出しを少なくして、建築躯体とのクリアランスを確保できるユニットルーム構造を提供する。【解決手段】  防水パン１外周の水切立面１ｃに固定した固定金具２を介してポスト４を立設し、このポスト４の縦溝状開口５に壁パネル８，９の端部が嵌め込まれて構築されるユニットルームにおいて、防水パン１の水切立面１ｃには、壁パネル８，９の端部折曲片８ａ，９ａ、または端部折曲片８ａ，９ａ間に介装される目地材の入り込む縦方向の溝Ｍが形成されており、この溝Ｍの分だけポスト４の奥行き寸法Ａを従来よりも薄くすることができる。【選択図】        図２
2006045869.tif 000002
【特許請求の範囲】
【請求項１】
防水パン外周の水切立面に固定した固定金具を介してポストを立設し、該ポストに壁パネルの端部が嵌め込まれる構造のユニットルームにおいて、前記防水パンの水切立面には、前記壁パネルの端部または壁パネルの端部同志の間に介装される目地材の入り込む溝が形成されていることを特徴とするユニットルーム構造。
【請求項２】
前記防水パンの水切立面に固定される固定金具には、前記水切立面の溝に整合する部分に、位置決め及び前記壁パネルの端部または壁パネルの端部同志の間に介装される目地材の入り込み用の切欠が形成されていることを特徴とする請求項１に記載のユニットルーム構造。
【請求項３】
防水パン外周の水切立面に固定金具を介してポストを立設し、該ポストに壁パネルの端部が嵌め込まれる構造のユニットルームにおいて、前記防水パンの水切立面に固定される固定金具には、前記壁パネルの端部または壁パネルの端部同志の間に介装される目地材の入り込む切欠が形成されていることを特徴とするユニットルーム構造。
【発明の詳細な説明】
【技術分野】
【０００１】
本発明は、ユニットルームの構造に関するものである。
【背景技術】
【０００２】
従来、防水パンの外周の水切立面に固定金具を介してポストを立設し、このポストに壁パネルの端部を嵌め込んでユニットルームを構築する際に、例えば特許文献１に開示されているように、防水パンの水切立面に、ポストを位置決めするための位置決め突部を設けた構造が存在する。
【特許文献１】特開平１１−１８１８５２号公報
【発明の開示】
【発明が解決しようとする課題】
【０００３】
従来のような構造では、ポストを良好に位置決めして防水パンの外周に立設することはできるが、ポストの防水パンの外側へのはみ出し幅が大きくなり、建築躯体とのクリアランスが小さくなってしまうという問題点があった。
【課題を解決するための手段】
【０００４】
本発明は上記従来の問題点に鑑み案出したものであって、ポストのユニットルーム外側へのはみ出し幅を小さくして、建築躯体とのクリアランスを確保できるユニットルーム構造を提供せんとするものであり、その請求項１は、防水パン外周の水切立面に固定した固定金具を介してポストを立設し、該ポストに壁パネルの端部が嵌め込まれる構造のユニットルームにおいて、前記防水パンの水切立面には、前記壁パネルの端部または壁パネルの端部同志の間に介装される目地材の入り込む溝が形成されていることである。
また、その請求項２は、前記防水パンの水切立面に固定される固定金具には、前記水切立面の溝に整合する部分に、位置決め及び前記壁パネルの端部または壁パネルの端部同志の間に介装される目地材の入り込み用の切欠が形成されていることである。
また、その請求項３は、防水パン外周の水切立面に固定金具を介してポストを立設し、該ポストに壁パネルの端部が嵌め込まれる構造のユニットルームにおいて、前記防水パンの水切立面に固定される固定金具には、前記壁パネルの端部または壁パネルの端部同志の間に介装される目地材の入り込む切欠が形成されていることである。
【発明の効果】
【０００５】
本発明では、防水パンの水切立面に、壁パネルの端部または壁パネルの端部同志の間に介装される目地材の入り込む溝が形成されており、溝が存在しない場合は、壁パネルの端部が防水パンの水切立面に当接してしまうため、防水パンの壁載置面を狭くすることができず、また、ポストの奥行きを薄くすることができないが、水切立面に溝が形成されていることにより、この溝内に壁パネルの端部または壁パネルの端部同志の間に介装される目地材が入り込むため、その分、壁載置面を狭くでき、同時にポストの奥行きを薄くすることができて、ユニットルームの外側へのはみ出しを小さくでき、建築躯体とのクリアランスを良好に確保できるものとなる。
【０００６】
また、防水パンの水切立面に固定される固定金具には、水切立面の溝に整合する部分に、位置決め及び壁パネルの端部または壁パネルの端部同志の間に介装される目地材の入り込み用の切欠が形成されていることにより、防水パンの水切立面の溝に固定金具の切欠を整合させて固定金具を固定することにより、この固定金具に対しポストを固定して、ポストを正確な位置に立設することができるものとなる。
【０００７】
また、防水パン外周の水切立面に固定金具を介してポストを立設し、ポストに壁パネルの端部が嵌め込まれる構造のユニットルームにおいて、防水パンの水切立面に固定される固定金具には、壁パネルの端部または壁パネルの端部同志の間に介装される目地材の入り込む切欠が形成されていることにより、固定金具の切欠内に壁パネルの端部または壁パネルの端部同志の間に介装される目地材が入り込むため、その分、壁載置面を狭くでき、同時にポストの奥行きを薄くすることができて、ユニットルームの外側へのはみ出しを小さくでき、建築躯体とのクリアランスを良好に確保できるものとなる。
【実施例】
【０００８】
以下、本発明の実施例を図面に基づいて説明する。
図１は、防水パンに固定金具を介してポストを立設する際の分解斜視図である。
防水パン１は、その外周に立上面１ａが形成されており、その上端に外方へ向かって略水平な壁載置面１ｂが形成され、さらに壁載置面１ｂの外周端に水切立面１ｃが立ち上げ状に一体形成されている。
また本例では、この水切立面１ｃの所定位置に室内側から凹み状に縦方向の溝Ｍが形成されている。
【０００９】
また、平固定金具２は、防水パンの水切立面１ｃの室内側に固設される下部固定片２ａの上端に、水平状に水平片２ｂが形成され、水平片２ｂから立ち上げて上部立上背片２ｃが形成されており、この上部立上背片２ｃの左右端に９０°折曲して上部立上右側片２ｄと上部立上左側片２ｅが形成されている。また、この上部立上右側片２ｄと上部立上左側片２ｅには、それぞれネジ孔３が形成されている。
この平固定金具２には、防水パンの水切立面１ｃの溝Ｍに整合する部分の下部固定片２ａに、縦方向に切欠Ｋが形成されている。
【００１０】
この切欠Ｋを防水パン１の溝Ｍに整合させて、室内側から下部固定片２ａを水切立面１ｃに当接させて、下部固定片２ａに形成されているネジ孔３，３に室内側からビスを差し込んで、水切立面１ｃにビスで平固定金具２を固設することができるものであり、溝Ｍに切欠Ｋが整合されるため、正確な位置に平固定金具２を固設することができるものである。
【００１１】
この平固定金具２に下端が固定されて防水パン１上に立設される平ポスト４は、背面片４ａの左右端に９０°折曲して右側面片４ｂと左側面片４ｃが折曲形成され、さらに右側面片４ｂ及び左側面片４ｃの先端には、対向状に右前片４ｄと左前片４ｅが折曲形成されており、右前片４ｄ及び左前片４ｅには、内側へ傾斜状に折り曲げてそれぞれ右折返片４ｆと左折返片４ｇが形成されて、右前片４ｄと左前片４ｅ間に縦方向の縦溝状開口５が形成されている。なお、右側面片４ｂ及び左側面片４ｃの下部には、ネジ孔７，７が形成されている。
【００１２】
図２の横断面拡大図で示すように、防水パン１に予め固設した平固定金具２に対し、平ポスト４の下端を嵌め込み状にして、平ポスト４の内側に平固定金具２の上部立上背片２ｃ，上部立上右側片２ｄ，上部立上左側片２ｅを入れ込むことができ、図２に示すように、平固定金具２の上部立上背片２ｃの外側に平ポスト４の背面片４ａが当接し、平固定金具２の上部立上右側片２ｄの外側に平ポストの右側面片４ｂが当接し、平固定金具２の上部立上左側片２ｅの外側に平ポスト４の左側面片４ｃが当接した状態で嵌め合わされて、外側よりビス６がネジ孔７内に入れられて、さらに平固定金具２のネジ孔３にビス６が締め付けられることで、平固定金具２に平ポスト４の下端が固定されるものである。
【００１３】
このように平固定金具２を介して平ポスト４を立設させた後に、室内側から平ポスト４の縦溝状開口５内に壁パネルの端部が嵌め込まれてゆく。
即ち、右側の壁パネル８の左端には、９０°裏側へ折り曲げて端部折曲片８ａが形成されており、この端部折曲片８ａの後端で傾斜状に折り曲げて係止折返片８ｂが形成されている。
同様に左側の壁パネル９の右端にも、９０°折り曲げて端部折曲片９ａと傾斜状の係止折返片９ｂが形成されている。
【００１４】
壁パネル８の端部折曲片８ａと壁パネル９の端部折曲片９ａを当接させた状態で、平ポスト４の縦溝状開口５内に押し込んで嵌め込み、この状態で、係止折返片８ｂは平ポスト４の右折返片４ｆに当接し、また、壁パネル９の係止折返片９ｂは平ポスト４の左折返片４ｇに当接して係合状態となる。
【００１５】
本例では、この状態で壁パネル８，９の端部折曲片８ａ，９ａの後端、即ち端部折曲片８ａ，９ａから係止折返片８ｂ，９ｂへと連続する部分が、平固定金具２の下部固定片２ａの切欠Ｋ内に入り込み、しかも、防水パン１に縦方向に形成されている溝Ｍ内に入り込むように設定されている。従って、溝Ｍ内に壁パネル８，９の端部折曲片８ａ，９ａの後端が入り込む分、防水パン１の壁載置面１ｂの幅寸法を狭く設定することができ、また、図２中にＡで示す寸法、即ち平ポスト４の背面片４ａと前片４ｄ，４ｅ間の奥行き寸法Ａを、従来のものよりも薄く設定しておくことができるものとなる。
即ち、溝Ｍが存在しない場合には、壁パネル８，９の端部折曲片８ａ，９ａの後端が防水パン１の水切立面１ｃに当たってしまうため、壁載置面１ｂを狭くできなくなり、また、Ａで示すポスト４の奥行き寸法を薄くすることはできないのである。
【００１６】
本例では、ポスト４の奥行き寸法Ａを薄くすることができるため、防水パン１の外周から外側へはみ出すポスト４のはみ出し幅を小さくすることができ、そのため、建築躯体とのクリアランスを良好に確保できるものとなる。また、ポスト４は、平固定金具２が溝Ｍと整合する位置に固設されるため、正確な位置にポスト４を立設固定することができるものとなる。
【００１７】
なお、図３は変更例を示すものであり、図３では、左右の壁パネル８，９の端部折曲片８ａ，９ａ間に目地材１０を介装させたものであり、目地材１０は、端部折曲片８ａ，９ａ間に挟み込まれる挟込片１０ａと、この挟込片１０ａの後端で傾斜状に折り返された折返片１０ｂで構成され、この折返片１０ｂは一方側の例えば壁パネル９側の係止折返片９ｂに当接状となる。
図３では、目地材１０の挟込片１０ａの後端が防水パン１の溝Ｍ内に入り込むため、このような目地材１０を介装させた場合でも、防水パンの壁載置面１ｂの幅寸法を狭くすることができ、また、平ポスト４の奥行き幅を薄く設定しておくことができるものである。
【００１８】
次に、図４では、防水パンのコーナー部に立設されるコーナーポスト４０を固定する際のコーナー部の拡大分解斜視図を示す。
図４では、防水パン１のコーナー部の水切立面１ｃには、それぞれの交差する辺ごとに縦方向の凹み状の溝Ｍ１，Ｍ２が形成されており、この溝Ｍ１，Ｍ２間のコーナー部に、コーナー固定金具２０の下部固定片２０ａ，下部固定片２０ａをビス固定するものであり、下部固定片２０ａ，下部固定片２０ａの上部には、Ｌ字状の水平片２０ｂから、立ち上げ状Ｌ字状の上部立上片２０ｃが形成されており、この上部立上片２０ｃにはネジ孔３が形成されている。
【００１９】
また、コーナーポスト４０は、略四角柱状に形成されており、図５の平面構成図で示すように、右背面片４０ａと左背面片４０ｂが９０°交差して一体形成され、右背面片４０ａから９０°折曲して右側面片４０ｃが形成され、また左背面片４０ｂから９０°折曲して左側面片４０ｄが形成されており、右側面片４０ｃ及び左側面片４０ｄの先端に、縦溝状開口５を形成する右開口片４０ｅと左開口片４０ｆが形成されたものとなっている。また、右背面片４０ａ及び左背面片４０ｂの下端側にはネジ孔７が形成されている。
【００２０】
このような形状のコーナーポスト４０を、図５に示すように、コーナー固定金具２０の上部立上片２０ｃを内側に納めた状態で嵌め合わせて、コーナーポスト４０の外側よりビス６をネジ孔７に通して、さらに固定金具２０のネジ孔３，３にビス６を締め付けて、コーナーポスト４０の下端を固定金具２０の上部立上片２０ｃに固定することができるものである。
【００２１】
その後に、図５に示すように、壁パネル８，９のそれぞれの端部をコーナーポスト４０の縦溝状開口５内に入れ込む。
即ち、壁パネル８，９の端部折曲片８ａ，９ａ及び係止折返片８ｂ，９ｂをコーナーポスト４０の縦溝状開口５内に入れ込み、さらに室内側より壁パネル８，９端部間に目地材１１を押し込んで、壁パネル８，９をコーナーポスト４０に取り付けることができるものである。
この場合に、壁パネル８の端部折曲片８ａの後端は防水パンに形成されている溝Ｍ２内に入り込み、また、壁パネル９の端部折曲片９ａの後端は防水パン１の溝Ｍ１内に入り込むこととなる。
【００２２】
従って、コーナーポスト４０においても奥行き寸法を薄く設定しておくことができ、防水パン１の壁載置面１ｂの幅も狭くしておくことができ、コーナーポスト４０の外側へのはみ出し寸法は従来よりも小さくなるため、建築躯体とのクリアランスを良好に確保することができるものとなる。
【００２３】
なお、図６に示すように、防水パン１に溝Ｍを形成させることなく、壁パネル８，９の端部折曲片８ａ，９ａの後端、即ち端部折曲片８ａ，９ａから係止折返片８ｂ，９ｂへと連続する部分を、平固定金具２の下部固定片２ａの切欠Ｋ内に入り込ませる構成であっても、切欠Ｋ内に壁パネル８，９の端部折曲片８ａ，９ａの後端が入り込む分、防水パン１の壁載置面１ｂの幅寸法を狭く設定することができ、また、平ポスト４の背面片４ａと前片４ｄ，４ｅ間の奥行き寸法を、従来のものよりも薄く設定しておくことができるものとなる。
【図面の簡単な説明】
【００２４】
【図１】平固定金具を介し平ポストを防水パンに立設固定させる際の分解斜視構成図である。
【図２】平ポストを立設させた状態の横断面拡大構成図である。
【図３】壁パネルの端部間に目地材を介装させた場合の図２に対応する横断面拡大構成図である。
【図４】防水パンのコーナー部にコーナー固定金具を介しコーナーポストを立設させる際の分解斜視図である。
【図５】コーナーポストを立設させた状態の横断面拡大構成図である。
【図６】変更例の平ポストを立設させた状態の横断面拡大構成図である。
【符号の説明】
【００２５】
１  防水パン
１ａ  立上面
１ｂ  壁載置面
１ｃ  水切立面
２  平固定金具
２ａ  下部固定片
２ｂ  水平片
２ｃ  上部立上背片
２ｄ  上部立上右側片
２ｅ  上部立上左側片
３  ネジ孔
４  平ポスト
４ａ  背面片
４ｂ  右側面片
４ｃ  左側面片
４ｆ  右折返片
４ｇ  左折返片
６  ビス
７  ネジ孔
８，９  壁パネル
８ａ，９ａ  端部折曲片
８ｂ，９ｂ  係止折返片
１０  目地材
１０ａ  挟込片
１０ｂ  折返片
１１  目地材
２０  コーナー固定金具
２０ａ  下部固定片
２０ｃ  上部立上片
４０  コーナーポスト
４０ａ  右背面片
４０ｂ  左背面片
Ｍ  溝
Ｍ１，Ｍ２  溝
Ｋ  切欠
【図１】
2006045869.tif 000003
【図２】
2006045869.tif 000004
【図３】
2006045869.tif 000005
【図４】
2006045869.tif 000006
【図５】
2006045869.tif 000007
【図６】
2006045869.tif 000008